(57)【要約】【課題】生鮮食品の照明に適する発光ダイオード照明器具を提供する。【解決手段】２つの白色の発光ダイオードと１つの赤色の発光ダイオードとを組み合わせてひとつの光源とした発光ダイオード照明器具である。この組み合わせにより白色光に赤色光を加え、単一の発光ダイオードでは得られない照明光を提供することができる。この組み合わせは、スーパーマーケットなどにおける生鮮食品の照明として好適である。【選択図】図１
0003161876.tif 000002
【実用新案登録請求の範囲】
【請求項１】
白色光を発するひとつ又は複数の第１発光ダイオードと、
赤色光を発するひとつ又は複数の第２発光ダイオードと、
前記第１発光ダイオード及び前記第２発光ダイオードを取り付ける基板とを備え、
前記第１発光ダイオードの光の色温度は５０００Ｋ〜６０００Ｋであり、
前記第２発光ダイオードの光の波長が６００ｎｍ〜６２０ｎｍの範囲内にある、ことを特徴とする発光ダイオード照明器具。
【請求項２】
前記第１発光ダイオードによる白色の光と前記第２発光ダイオードによる赤色の光の光束の比は、３対１以上である、ことを特徴とする請求項１記載の発光ダイオード照明器具。
【考案の詳細な説明】
【技術分野】
【０００１】
本考案は、低消費電力の発光ダイオード照明器具に関し、特に、スーパーマーケットなどにおける生鮮食品の照明に適するものに関する。
【背景技術】
【０００２】
近年、発光ダイオード（以下、「ＬＥＤ」とも記す）の明るさが向上するとともに、その価格が低下したため、発光ダイオードを照明に用いるようになってきた。
【先行技術文献】
【特許文献】
【０００３】
【特許文献１】特開２００７−８０５３６号公報
【特許文献２】特開２００７−８０５３７号公報
【特許文献３】特許第４０８１６６５号公報
【考案の概要】
【考案が解決しようとする課題】
【０００４】
上記特許文献には、白色ＬＥＤと赤色（電球色）ＬＥＤを組み合わせた照明装置が記載されている。
【０００５】
ところで、照明装置の用途としては一般家庭やオフィスなどの照明が一般的であるが、少し特殊な用途としてはスーパーマーケットなどにおける生鮮食品の照明がある。この用途においては、魚介類（特に刺身）、肉、野菜などの生鮮食品をより鮮やかに引き立たせることのできる照明装置が求められている。従来は、白熱灯よりも明るいハロゲンランプが用いられてきた。ハロゲンランプは、そのフィラメントの温度が高いため、白熱灯に比べて明るく、かつ、より白い色味を出すことができる。その代わり消費電力が大きいという問題がある。
【０００６】
ここで、上記用途において、ハロゲンランプに代えてＬＥＤ照明装置を用いると問題が生じる。ＬＥＤの発光スペクトルは比較的狭いため、ハロゲンランプを代替することができないのである。白色ＬＥＤでは赤みが足りず、赤色ＬＥＤでは食品全てが赤みを帯びてしまう。また、白色ＬＥＤと赤色（電球色）ＬＥＤを組み合わせたものでも、ハロゲンランプに比べて見劣りする。
【０００７】
要するに、現に存在するＬＥＤ照明装置は、いずれも生鮮食品の照明という用途には適さないのである。
【０００８】
そこで、生鮮食品の照明に適するＬＥＤ照明装置を提供する。
【課題を解決するための手段】
【０００９】
この考案は、
白色光を発するひとつ又は複数の第１発光ダイオードと、
赤色光を発するひとつ又は複数の第２発光ダイオードと、
前記第１発光ダイオード及び前記第２発光ダイオードを取り付ける基板とを備え、
前記第１発光ダイオードの光の色温度は５０００Ｋ〜６０００Ｋであり、
前記第２発光ダイオードの光の波長が６００ｎｍ〜６２０ｎｍの範囲内にある、ことを特徴とする発光ダイオード照明器具である。
【００１０】
この考案は、さらに、前記第１発光ダイオードによる白色の光と前記第２発光ダイオードによる赤色の光の光束の比は、３対１以上である、ことを特徴とする発光ダイオード照明器具である。
【図面の簡単な説明】
【００１１】
【図１】考案の実施の形態に係る発光ダイオード照明器具の斜視図である。
【図２】考案の実施の形態に係る発光ダイオード照明器具の斜視図である。
【図３】考案の実施の形態に係る発光ダイオード照明器具の正面図である。
【図４】考案の実施の形態に係る発光ダイオード照明器具の分解図である。
【図５】考案の実施の形態に係る発光ダイオード照明器具のＬＥＤ基板の平面図である。
【考案を実施するための形態】
【００１２】
図１及び図２は、考案の実施の形態に係る発光ダイオード照明器具の斜視図を示し、図３は正面図を示す。
【００１３】
１は、考案の実施の形態に係る発光ダイオード照明器具である。
２は、照明器具本体の前ケースである。３は、器具に内蔵されている電子機器からの熱を逃がすための放熱器である。４は、照明器具本体をダクトレールに取り付けるためのプラグである。ダクトレールは複数のライトをレール上の好きな場所に取付けできる照明用のパーツである。ダクトレール内には、レールの方向に沿って電気の流れる接点が設けられている。
【００１４】
Ａは発光部である。図３からわかるように発光部Ａは３つの発光箇所があり、その中心部分（小さな丸）にはそれぞれ発光ダイオード（ＬＥＤ）が設けられている。３つの発行箇所は、それぞれ正三角形の頂点に位置するように配置されている。図３で見えているＡ部は、レンズ１２の表面である。
【００１５】
図４は、考案の実施の形態に係る発光ダイオード照明器具の分解図である。
【００１６】
１１は、レンズ１２を固定するためのリングである。１２はレンズである。レンズ１２は３つのレンズを含み、それぞれは点光源であるＬＥＤの光束を照明に適するように整える。１３はＬＥＤ基板であり、ここに３つのＬＥＤが搭載される。１４は、電線の接続部分の短絡を防ぐための熱収縮チューブ、１５はＬＥＤ基板１３に電源を接続するためのネジ式ターミナル、１６は照明器具本体に入る電線の電線押さえ、１７は照明器具本体の後蓋である。
【００１７】
図５は、考案の実施の形態に係る発光ダイオード照明器具のＬＥＤ基板の平面図である。
【００１８】
ＬＥＤ１−１，１−２は、白色の第１発光ダイオード、ＬＥＤ２は赤色の第２発光ダイオードである。これら３つのＬＥＤはそれぞれ正三角形の頂点に配置されている（同図の正三角形の説明の便宜上のものであり、実際にそのような形状が構成されているわけではない）。３つのＬＥＤそれぞれに対応してレンズが設けられている。すなわち、３つのＬＥＤそれぞれに、レンズ１２の３つの小さな丸の部分が対応している。
【００１９】
考案の実施の形態に係る発光ダイオード照明器具は、生鮮食品の照明に適するものである。すなわち、２つの白色の発光ダイオードと１つの赤色の発光ダイオードとを組み合わせてひとつの光源とした発光ダイオード照明器具である。この組み合わせにより白色光に赤色光を加え、単一の発光ダイオードでは得られない照明光を提供することができる。この組み合わせは、スーパーマーケットなどにおける生鮮食品の照明として好適である。
【００２０】
生鮮食品の照明用としては、各ＬＥＤは次のような条件を満たすことが好ましい。
（１）第１発光ダイオードＬＥＤ１−１，１−２は、５０００Ｋ〜６０００Ｋの白色であり、かつ、第２発光ダイオードＬＥＤ２は、そのドミナント波長が６００ｎｍ〜６２０ｎｍの赤色である。
（２）白色と赤色の光束の比は、３：１より大きい。
【００２１】
その理由は次のとおりである。
【００２２】
赤色ＬＥＤの波長が６００ｎｍより短いと、肉などの生鮮食品は食品模型のような模造品のように見えてしまう。
【００２３】
赤色ＬＥＤの波長が６２０ｎｍより長いと、肉などの生鮮食品の赤みが強すぎるようになって、新鮮には見えない。
【００２４】
白色ＬＥＤの光束が小さすぎると赤色光の影響が大きくなりすぎ、肉などの生鮮食品の白い部分が全て赤みがかり、それが模造品のように見えてしまう。
【００２５】
以上の構成により、生鮮食品の照明に適する発光ダイオード照明器具を実現することができた。
【符号の説明】
【００２６】
１    発光ダイオード照明器具
２    前ケース
３    放熱器
４    ダクトレール用プラグ
１１    レンズ固定リング
１２    レンズ
１３    ＬＥＤ基板
１４    熱収縮チューブ
１５    ネジ式ターミナル
１６    電線押さえ
１７    後蓋
Ａ    発光部
ＬＥＤ１−１，１−２  第１発光ダイオード（白色）
ＬＥＤ２  第２発光ダイオード（赤色）
【図１】
0003161876.tif 000003
【図２】
0003161876.tif 000004
【図３】
0003161876.tif 000005
【図４】
0003161876.tif 000006
【図５】
0003161876.tif 000007